(57)【要約】【課題】スピーカの最低共振周波数以下の音響情報を聴感上自然な状態で再生する。【解決手段】使用するスピーカの最低共振周波数以下の周波数ｆ２の低域信号Ｓ２を信号源から供給される入力信号Ｓ１から抽出するフィルタ部と、周波数ｆ３の正弦波信号Ｓ３と該低域信号Ｓ２とから、周波数ｆ３±ｆ２の変換信号Ｓ４を得る第一乗算部と、前記低域信号Ｓ２と前記変換信号Ｓ４とから、周波数ｆ３の成分と周波数ｆ３±２ｆ２の成分とを含む変換信号Ｓ５を得る第二乗算部と、前記変換信号Ｓ４と前記変換信号Ｓ５とを加算し、周波数ｆ３の成分と周波数ｆ３±ｆ２の成分と周波数ｆ３±２ｆ２の成分とを含む疑似低域信号Ｓ７として得る加算部と、を備える。【選択図】図１
2010183126.tif 000002
【特許請求の範囲】
【請求項１】
使用するスピーカの最低共振周波数以下の周波数ｆ２の低域信号Ｓ２を信号源から供給される入力信号Ｓ１から抽出するフィルタ部と、
周波数ｆ３の正弦波信号Ｓ３と該低域信号Ｓ２とから、周波数ｆ３±ｆ２の変換信号Ｓ４を得る第一乗算部と、
前記低域信号Ｓ２と前記変換信号Ｓ４とから、周波数ｆ３の成分と周波数ｆ３±２ｆ２の成分とを含む変換信号Ｓ５を得る第二乗算部と、
前記変換信号Ｓ４と前記変換信号Ｓ５とを加算し、周波数ｆ３の成分と周波数ｆ３±ｆ２の成分と周波数ｆ３±２ｆ２の成分とを含む疑似低域信号Ｓ７として得る加算部を備えたことを特徴とする音響再生装置。
【請求項２】
使用するスピーカの最低共振周波数以下の周波数ｆ２の低域信号Ｓ２を信号源から供給される入力信号Ｓ１から抽出するフィルタ部と、
周波数ｆ３の正弦波信号Ｓ３と該低域信号Ｓ２とから、周波数ｆ３±ｆ２の変換信号Ｓ４を得る第一乗算部と、
前記低域信号Ｓ２と前記変換信号Ｓ４とから、周波数ｆ３の成分と周波数ｆ３±２ｆ２の成分とを含む変換信号Ｓ５を得る第二乗算部と、
前記変換信号Ｓ４と前記変換信号Ｓ５とを加算し、周波数ｆ３の成分と周波数ｆ３±ｆ２の成分と周波数ｆ３±２ｆ２の成分とを含む疑似低域信号Ｓ７を前記入力信号Ｓ１に加算して疑似低域信号含有出力信号Ｓ８を得る加算部と、
前記疑似低域信号含有信号Ｓ８を増幅して前記スピーカを駆動する増幅部を備えたことを特徴とする音響再生装置。
【請求項３】
前記正弦波信号Ｓ３の周波数ｆ３は、
前記フィルタ部を通過する上限周波数ｆ２maxの２倍以上１２倍以下であって、前記スピーカで再生可能な周波数帯域に設定されている、
ことを特徴とする請求項１または請求項２に記載の音響再生装置。
【請求項４】
前記第一乗算部と前記第二乗算部とはディジタル処理を実行するディジタル処理部であり、入力信号を±１の範囲内に正規化して乗算処理することにより周波数変換を行う、
ことを特徴とする請求項１乃至請求項３のいずれか一項に記載の音響再生装置。
【請求項５】
使用するスピーカの最低共振周波数以下の周波数ｆ２の低域信号Ｓ２を信号源から供給される入力信号Ｓ１から抽出するフィルタ部と、
周波数ｆ３の正弦波信号Ｓ３と該低域信号Ｓ２とから、周波数ｆ３±ｆ２の変換信号Ｓ４を得る第一乗算部と、
前記低域信号Ｓ２と前記変換信号Ｓ４とから、周波数ｆ３の成分と周波数ｆ３±２ｆ２の成分とを含む変換信号Ｓ５を得る第二乗算部と、
前記変換信号Ｓ４と前記変換信号Ｓ５とを加算し、周波数ｆ３の成分と周波数ｆ３±ｆ２の成分と周波数ｆ３±２ｆ２の成分とを含む疑似低域信号Ｓ７として得る加算部と、
前記入力信号Ｓ１と前記疑似低域信号Ｓ７、あるいは、前記入力信号Ｓ１と前記疑似低域信号Ｓ７とを加算した疑似低域信号含有出力信号Ｓ８を音響再生装置に対して送信する送信部を備えたことを特徴とする音響再生システム。
【請求項６】
前記正弦波信号Ｓ３の周波数ｆ３は、
前記フィルタ部を通過する上限周波数ｆ２maxの２倍以上１２倍以下であって、前記スピーカで再生可能な周波数帯域に設定されている、
ことを特徴とする請求項５に記載の音響再生システム。
【請求項７】
前記第一乗算部と前記第二乗算部とはディジタル処理を実行するディジタル処理部であり、入力信号を±１の範囲内に正規化して乗算処理することにより周波数変換を行う、
ことを特徴とする請求項５または請求項６に記載の音響再生システム。
【発明の詳細な説明】
【技術分野】
【０００１】
本発明は、音響再生装置および音響再生システムに関し、特に、スピーカの最低共振周波数以下の音響情報を再生可能な音響再生装置および音響再生システムに関する。
【背景技術】
【０００２】
近年、携帯電話装置や携帯型ディジタル再生装置の進歩がめざましい。そして、これらの機器を使用して、音楽の再生だけでなく、映画やテレビ番組などの動画を再生することも行われている。
【０００３】
この種の携帯機器に内蔵されるスピーカは、取り付け場所や取り付け位置の制限あるいは意匠の制約により、口径が２０mm以下のものが使用されることがある。このような小口径のスピーカの最低共振周波数は、振動面積や構造の制約により、５００Ｈｚ〜１ｋＨｚ程度である。したがって、１００Ｈｚ付近の低域信号（低音）を再生することができない。
【０００４】
こういった小口径のスピーカを使用して音楽に含まれる低音部分を再生するには、一般的には、ラウドネス補償回路やトーンコントロール回路を用いて、低域部分を強調することが一般的に行われている。
【０００５】
ただし、このように単純に低域部分を強調すると、小口径スピーカの能力を超える大振幅の低域信号を再生しなければならず、歪みが増大するという問題が発生する。
そこで、低域信号そのままの周波数ではなく、この低域信号の高調波成分を作り出して、この高調波信号を再生することで、低音感を表す手法が存在しており、以下の特許文献１や特許文献２などに提案されている。
【０００６】
なお、この特許文献１の手法は、低域信号を乗算して２乗倍の周波数の高調波信号を生成するものである。
また、特許文献２の手法は、低域信号を全波整流することで２倍の周波数の信号を生成するものである。
【０００７】
また、これ以外に、２つの信号を同時に聴いた場合に、その周波数差（うなり）を低音として感じる音響心理現象や、等間隔の周波数の複数の信号を聴いた場合に存在していない基本音を感じるミッシングファンダメンタルという音響心理現象などが知られている。
【先行技術文献】
【特許文献】
【０００８】
【特許文献１】特開２００１-２４５３３９号公報
【特許文献２】特開平５−３２８４８１号公報
【発明の概要】
【発明が解決しようとする課題】
【０００９】
以上のラウドネス補償回路やトーンコントロール回路を用いて、低域部分を強調する手法では、増幅度に限度があって十分な低音の音量感を得にくい、スピーカの最低共振周波数以下の信号を増幅した場合には歪みが増大して不自然な音になる、といった問題が生じる。
【００１０】
また、以上の特許文献１や２に記載の各種の処理をディジタル処理として実行する場合、高速に積和演算を行えるＤＳＰ等のハードウェアが利用される。
ＤＳＰ等の演算システムで音声信号を処理した場合、演算システムの量子化ビット数により入力信号が量子化される。たとえば、入力信号が−１Ｖから＋１Ｖの範囲の入力信号を１６ビットの量子化ビット数で処理する場合、−１Ｖから＋１Ｖの範囲の入力信号を−３２７６８から＋３２７６７の範囲の数値に対応付けられて処理される。
【００１１】
実際のＤＳＰ内部の処理ではこの−３２７６８から＋３２７６７の範囲の数値を使って乗算を行うと、演算システムが処理できる数値の範囲が−３２７６８から＋３２７６７の範囲であるためにすぐに桁が溢れて計算できなくなる問題がある。
【００１２】
そのため、ＤＳＰ内部では−３２７６８から＋３２７６７の範囲を−１から＋１までの数値に対応付けて計算を行うことで、どんなに乗算を繰り返しても計算結果が−１から＋１の範囲を超えることが無くなり、桁溢れが起きなくなる。従って、ＤＳＰ等で乗算を行う場合にはこの手法が一般的に用いられる。
【００１３】
ここで、以上の特許文献１の手法をディジタル信号処理を用いて実現する場合、低域信号を３乗して第三次高調波を得ることを想定すると、乗算器の入力・出力の関係は、以下に示す数式のようになる。
【００１４】
【数１】
2010183126.tif 000003
【００１５】
以上の三角関数の計算による数式の入出力を図示すると、図１３のようになり、入力信号が小さくなると、出力信号のレベルは３乗されるために極めて小さくなり、ＳＮ比が余り良くない状態になる。
【００１６】
この場合、必要なレベルの低域信号を得るためには、乗算器の出力に得られた第三次高調波を増幅する必要があるが、その際にノイズも増幅されてしまうという問題が発生する。
【００１７】
また、以上の特許文献１や２に記載の手法では、低域信号を逓倍し、第二次高調波や第三次高調波を発生させるものであり、１００Ｈｚの低音を２００Ｈｚや３００Ｈｚの低域信号で擬似的に再現するものである。
【００１８】
したがって、最低共振周波数が５００Ｈｚ〜１ｋＨｚ程度の小口径のスピーカーを用いる機器では、１００Ｈｚの低域信号から、最低共振周波数以上の周波数となる第五次〜第十次高調波を生成する必要がある。この場合、信号生成の処理における上述したノイズの問題により、より一層ノイズが増大して、実用的な信号が得られない問題があるので、再生したい低域信号と再生可能な周波数帯域とが離れている場合には、高調波による再現には無理が生じる。
【００１９】
一方、各周波数における知覚レベルは音圧（音量）により変化することが知られており、図１４に示す等感曲線（ロビンソン・ダッドソン曲線）として知られている。
この図から分かることは、音圧が小さくなるに従って、より低い低音を感じにくくなることである。したがって、１００Ｈｚの低域信号を逓倍して２００Ｈｚの低域信号を生成する場合に、音圧が大きい（大音量）時と音圧が小さい（小音量）時とで高調波の信号レベルを変化させる必要があることを意味している。
【００２０】
しかしながら、上述した特許文献、あるいは、他の文献においても、ロビンソン・ダッドソン曲線まで配慮して低音再生を実現しようとするものは存在していない。すなわち、従来の各種手法では、聴感上自然な低音再生は困難であった。
【００２１】
本発明は、以上のような課題を解決するためになされたものであって、スピーカの最低共振周波数以下の音響情報を聴感上自然な状態で再生可能な音響再生装置および音響再生システムを提供することを目的とする。
【課題を解決するための手段】
【００２２】
以上の課題を解決する本発明は、以下に記載するようなものである。
（１）請求項１記載の発明は、使用するスピーカの最低共振周波数以下の周波数ｆ２の低域信号Ｓ２を信号源から供給される入力信号Ｓ１から抽出するフィルタ部と、周波数ｆ３の正弦波信号Ｓ３と該低域信号Ｓ２とから、周波数ｆ３±ｆ２の変換信号Ｓ４を得る第一乗算部と、前記低域信号Ｓ２と前記変換信号Ｓ４とから、周波数ｆ３の成分と周波数ｆ３±２ｆ２の成分とを含む変換信号Ｓ５を得る第二乗算部と、前記変換信号Ｓ４と前記変換信号Ｓ５とを加算し、周波数ｆ３の成分と周波数ｆ３±ｆ２の成分と周波数ｆ３±２ｆ２の成分とを含む疑似低域信号Ｓ７として得る加算部を備えたことを特徴とする音響再生装置である。
【００２３】
（２）請求項２記載の発明は、使用するスピーカの最低共振周波数以下の周波数ｆ２の低域信号Ｓ２を信号源から供給される入力信号Ｓ１から抽出するフィルタ部と、周波数ｆ３の正弦波信号Ｓ３と該低域信号Ｓ２とから、周波数ｆ３±ｆ２の変換信号Ｓ４を得る第一乗算部と、前記低域信号Ｓ２と前記変換信号Ｓ４とから、周波数ｆ３の成分と周波数ｆ３±２ｆ２の成分とを含む変換信号Ｓ５を得る第二乗算部と、前記変換信号Ｓ４と前記変換信号Ｓ５とを加算し、周波数ｆ３の成分と周波数ｆ３±ｆ２の成分と周波数ｆ３±２ｆ２の成分とを含む疑似低域信号Ｓ７を前記入力信号Ｓ１に加算して疑似低域信号含有出力信号Ｓ８を得る加算部と、前記疑似低域信号含有信号Ｓ８を増幅して前記スピーカを駆動する増幅部を備えたことを特徴とする音響再生装置である。
【００２４】
（３）請求項３記載の発明は、前記正弦波信号Ｓ３の周波数ｆ３は、前記フィルタ部を通過する上限周波数ｆ２maxの２倍以上１２倍以下であって、前記スピーカで再生可能な周波数帯域に設定されている、ことを特徴とする請求項１または請求項２に記載の音響再生装置である。
【００２５】
（４）請求項４記載の発明は、前記第一乗算部と前記第二乗算部とはディジタル処理を実行するディジタル処理部であり、入力信号を±１の範囲内に正規化して乗算処理することにより周波数変換を行う、ことを特徴とする請求項１乃至請求項３のいずれか一項に記載の音響再生装置である。
【００２６】
（５）請求項５記載の発明は、使用するスピーカの最低共振周波数以下の周波数ｆ２の低域信号Ｓ２を信号源から供給される入力信号Ｓ１から抽出するフィルタ部と、周波数ｆ３の正弦波信号Ｓ３と該低域信号Ｓ２とから、周波数ｆ３±ｆ２の変換信号Ｓ４を得る第一乗算部と、前記低域信号Ｓ２と前記変換信号Ｓ４とから、周波数ｆ３の成分と周波数ｆ３±２ｆ２の成分とを含む変換信号Ｓ５を得る第二乗算部と、前記変換信号Ｓ４と前記変換信号Ｓ５とを加算し、周波数ｆ３の成分と周波数ｆ３±ｆ２の成分と周波数ｆ３±２ｆ２の成分とを含む疑似低域信号Ｓ７として得る加算部と、前記入力信号Ｓ１と前記疑似低域信号Ｓ７、あるいは、前記入力信号Ｓ１と前記疑似低域信号Ｓ７とを加算した疑似低域信号含有出力信号Ｓ８を音響再生装置に対して送信する送信部を備えたことを特徴とする音響再生システムである。
【００２７】
（６）請求項６記載の発明は、前記正弦波信号Ｓ３の周波数ｆ３は、前記フィルタ部を通過する上限周波数ｆ２maxの２倍以上１２倍以下であって、前記スピーカで再生可能な周波数帯域に設定されている、ことを特徴とする請求項５に記載の音響再生システムである。
【００２８】
（７）請求項７記載の発明は、前記第一乗算部と前記第二乗算部とはディジタル処理を実行するディジタル処理部であり、入力信号を±１の範囲内に正規化して乗算処理することにより周波数変換を行う、ことを特徴とする請求項５または請求項６に記載の音響再生システムである。
【００２９】
（８）なお、以上の（３）と（６）とにおいて、前記正弦波信号Ｓ３の周波数ｆ３は、前記フィルタ部を通過する上限周波数ｆ２maxの２倍以上１２倍以下であって、前記スピーカで再生可能な周波数帯域に設定されている、ことが望ましい。
【００３０】
（９）なお、以上の装置またはシステムにおいて、所定周波数の正弦波信号を生成する正弦波信号源を備えることが望ましい。
【発明の効果】
【００３１】
本発明によれば、以下のような効果が得られる。
（１）請求項１記載の音響再生装置の発明では、使用するスピーカの最低共振周波数以下の周波数ｆ２の低域信号Ｓ２を信号源から供給される入力信号Ｓ１からフィルタ部で抽出し、周波数ｆ３の正弦波信号Ｓ３と該低域信号Ｓ２とから、周波数ｆ３±ｆ２の変換信号Ｓ４を第一乗算部により生成し、低域信号Ｓ２と変換信号Ｓ４とから周波数ｆ３の成分と周波数ｆ３±２ｆ２の成分とを含む変換信号Ｓ５を第二乗算部により生成し、変換信号Ｓ４と変換信号Ｓ５とを加算して周波数ｆ３の成分と周波数ｆ３±ｆ２の成分と周波数ｆ３±２ｆ２の成分とを含む疑似低域信号Ｓ７を加算部により生成する。
【００３２】
これにより、使用するスピーカの最低共振周波数以下の周波数ｆ２の低域信号Ｓ２は、スピーカの再生可能な周波数帯域において、正弦波信号Ｓ３の周波数ｆ３を中心として周波数間隔ｆ２（±ｆ２、±２ｆ２）毎に信号成分を含む疑似低域信号Ｓ７に周波数変換される。
【００３３】
この結果、スピーカの再生可能な周波数帯域において中心周波数ｆ３・周波数間隔ｆ２で等間隔の信号が含まれる疑似低域信号Ｓ７から、聴取者にとってはミッシングファンダメンタルにより基本音ｆ２が感じられるようになる。
【００３４】
このため、単純に低域部分をそのままの周波数で強調した場合の歪みが増大する現象は発生しない。また、再生したい低域信号と再生可能な周波数帯域とが離れている場合であっても、逓倍によって低域信号の高調波を生成した場合と異なり、無理なく低域信号を再現することが可能になる。したがって、スピーカの最低共振周波数以下の音響情報を聴感上自然な状態で再生可能になる。
【００３５】
また、ロビンソン・ダッドソン曲線の等感曲線により低域よりも中域のほうが同じ音圧で再生しても数ｄＢ〜数十ｄＢ程度は知覚されやすいため、実際の低域よりも低い音圧で低域信号を再生しても十分に知覚されるため、装置の消費電力を抑えることが可能になる。
【００３６】
（２）請求項２記載の音響再生装置の発明では、使用するスピーカの最低共振周波数以下の周波数ｆ２の低域信号Ｓ２を信号源から供給される入力信号Ｓ１からフィルタ部で抽出し、周波数ｆ３の正弦波信号Ｓ３と該低域信号Ｓ２とから、周波数ｆ３±ｆ２の変換信号Ｓ４を第一乗算部により生成し、低域信号Ｓ２と変換信号Ｓ４とから周波数ｆ３の成分と周波数ｆ３±２ｆ２の成分とを含む変換信号Ｓ５を第二乗算部により生成し、変換信号Ｓ４と変換信号Ｓ５とを加算して周波数ｆ３の成分と周波数ｆ３±ｆ２の成分と周波数ｆ３±２ｆ２の成分とを含む疑似低域信号Ｓ７を生成すると共に該疑似低域信号Ｓ７と入力信号Ｓ１とを加算して疑似低域信号含有出力信号Ｓ８を加算部により生成し、疑似低域信号含有信号Ｓ８を増幅部により増幅してスピーカを駆動する。
【００３７】
これにより、使用するスピーカの最低共振周波数以下の周波数ｆ２の低域信号Ｓ２は、スピーカの再生可能な周波数帯域において、正弦波信号Ｓ３の周波数ｆ３を中心として周波数間隔ｆ２（±ｆ２、±２ｆ２）毎に信号成分を含む疑似低域信号Ｓ７に周波数変換される。そして、この疑似低域信号Ｓ７を含む疑似低域信号含有信号Ｓ８がスピーカにより再生される。
【００３８】
この結果、スピーカの再生可能な周波数帯域において中心周波数ｆ３・周波数間隔ｆ２で等間隔の信号が含まれる疑似低域信号Ｓ７から、聴取者にとってはミッシングファンダメンタルにより基本音ｆ２が感じられるようになる。
【００３９】
このため、単純に低域部分をそのままの周波数で強調した場合の歪みが増大する現象は発生しない。また、再生したい低域信号と再生可能な周波数帯域とが離れている場合であっても、逓倍によって低域信号の高調波を生成した場合と異なり、無理なく低域信号を再現することが可能になる。したがって、スピーカの最低共振周波数以下の音響情報を聴感上自然な状態で再生可能になる。
【００４０】
また、ロビンソン・ダッドソン曲線の等感曲線により低域よりも中域のほうが同じ音圧で再生しても数ｄＢ〜数十ｄＢ程度は知覚されやすいため、実際の低域よりも低い音圧で低域信号を再生しても十分に知覚されるため、装置の消費電力を抑えることが可能になる。
【００４１】
（３）請求項３記載の音響再生装置の発明では、正弦波信号Ｓ３の周波数ｆ３は、フィルタ部を通過する上限周波数ｆ２maxの２倍以上１２倍以下であって、前記スピーカで再生可能な周波数帯域に設定されているため、使用するスピーカの最低共振周波数以下の周波数ｆ２の低域信号Ｓ２は、スピーカの再生可能な周波数帯域の範囲内において、正弦波信号Ｓ３の周波数ｆ３を中心として周波数間隔ｆ２（±ｆ２、±２ｆ２）毎に信号成分を含む疑似低域信号Ｓ７に周波数変換される。したがって、スピーカの最低共振周波数以下の音響情報を聴感上自然な状態で再生可能になる。
【００４２】
（４）請求項４記載の音響再生装置の発明では、第一乗算部と第二乗算部とは、入力信号を±１の範囲内に正規化してディジタル乗算処理することにより周波数変換を行うものであり、この乗算処理には一定の信号レベルの正弦波信号Ｓ３が含まれるため、従来の低域信号自身で乗算処理を行う場合と比較して入出力の信号レベルが安定する。このため、ＳＮ比が悪化することがなく、良好な低域信号が得られるため、スピーカの最低共振周波数以下の音響情報を聴感上自然な状態で再生可能になる。
【００４３】
（５）請求項５記載の音響再生システムの発明では、使用するスピーカの最低共振周波数以下の周波数ｆ２の低域信号Ｓ２を信号源から供給される入力信号Ｓ１からフィルタ部で抽出し、周波数ｆ３の正弦波信号Ｓ３と該低域信号Ｓ２とから、周波数ｆ３±ｆ２の変換信号Ｓ４を第一乗算部により生成し、低域信号Ｓ２と変換信号Ｓ４とから周波数ｆ３の成分と周波数ｆ３±２ｆ２の成分とを含む変換信号Ｓ５を第二乗算部により生成し、変換信号Ｓ４と変換信号Ｓ５とを加算して周波数ｆ３の成分と周波数ｆ３±ｆ２の成分と周波数ｆ３±２ｆ２の成分とを含む疑似低域信号Ｓ７を加算部により生成し、疑似低域信号Ｓ７あるいは疑似低域信号含有信号Ｓ８を送信部により音響再生装置に送信する。
【００４４】
これにより、音響再生装置で使用されるスピーカの最低共振周波数以下の周波数ｆ２の低域信号Ｓ２は、スピーカの再生可能な周波数帯域において、正弦波信号Ｓ３の周波数ｆ３を中心として周波数間隔ｆ２（±ｆ２、±２ｆ２）毎に信号成分を含む疑似低域信号Ｓ７に周波数変換される。
【００４５】
この結果、スピーカの再生可能な周波数帯域において中心周波数ｆ３・周波数間隔ｆ２で等間隔の信号が含まれる疑似低域信号Ｓ７から、聴取者にとってはミッシングファンダメンタルにより基本音ｆ２が感じられるようになる。
【００４６】
このため、単純に低域部分をそのままの周波数で強調した場合の歪みが増大する現象は発生しない。また、再生したい低域信号と再生可能な周波数帯域とが離れている場合であっても、逓倍によって低域信号の高調波を生成した場合と異なり、無理なく低域信号を再現することが可能になる。したがって、音響再生装置のスピーカの最低共振周波数以下の音響情報を聴感上自然な状態で再生可能になる。
【００４７】
また、ロビンソン・ダッドソン曲線の等感曲線により低域よりも中域のほうが同じ音圧で再生しても数ｄＢ〜数十ｄＢ程度は知覚されやすいため、実際の低域よりも低い音圧で低域信号を再生しても十分に知覚されるため、システムの消費電力を抑えることが可能になる。
【００４８】
（６）請求項６記載の音響再生システムの発明では、正弦波信号Ｓ３の周波数ｆ３は、フィルタ部を通過する上限周波数ｆ２maxの２倍以上１２倍以下であって、前記スピーカで再生可能な周波数帯域に設定されているため、音響再生装置で使用されるスピーカの最低共振周波数以下の周波数ｆ２の低域信号Ｓ２は、スピーカの再生可能な周波数帯域の範囲内において、正弦波信号Ｓ３の周波数ｆ３を中心として周波数間隔ｆ２（±ｆ２、±２ｆ２）毎に信号成分を含む疑似低域信号Ｓ７に周波数変換される。したがって、スピーカの最低共振周波数以下の音響情報を聴感上自然な状態で再生可能になる。
【００４９】
（７）請求項７記載の音響再生システムの発明では、第一乗算部と第二乗算部とは、入力信号を±１の範囲内に正規化してディジタル乗算処理することにより周波数変換を行うものであり、この乗算処理には一定の信号レベルの正弦波信号Ｓ３が含まれるため、従来の低域信号自身で乗算処理を行う場合と比較して入出力の信号レベルが安定する。このため、ＳＮ比が悪化することがなく、良好な低域信号が得られるため、スピーカの最低共振周波数以下の音響情報を聴感上自然な状態で再生可能になる。
【図面の簡単な説明】
【００５０】
【図１】本発明の第一実施形態の音響再生装置の構成を示す構成図である。
【図２】本発明の第一実施形態の音響再生装置の構成を示す構成図である。
【図３】本発明の第一実施形態の音響再生装置の特性を示す特性図である。
【図４】本発明の第一実施形態の音響再生装置の特性を示す特性図である。
【図５】本発明の第一実施形態の音響再生装置の特性を示す特性図である。
【図６】本発明の第一実施形態の音響再生装置の特性を示す特性図である。
【図７】本発明の第二実施形態の音響再生装置の構成を示す構成図である。
【図８】本発明の第三実施形態の音響再生装置の構成を示す構成図である。
【図９】本発明の第四実施形態の音響再生装置の構成を示す構成図である。
【図１０】本発明の第五実施形態の音響再生装置の構成を示す構成図である。
【図１１】本発明の第六実施形態の音響再生装置の構成を示す構成図である。
【図１２】音響再生の特性を示す特性図である。
【図１３】従来の音響再生の特性を示す特性図である。
【図１４】音響再生の聴感上の等感特性を示す特性図である。
【発明を実施するための形態】
【００５１】
以下、図面を参照して本発明を実施するための最良の形態（以下、実施形態）を詳細に説明する。
〈第一実施形態〉
図１は本発明の第一実施形態の音響再生装置１００の構成を模式的に示す説明図である。
【００５２】
ここで、各信号にはＳ１〜Ｓ８の符号を付し、各信号Ｓ１〜Ｓ８の周波数をｆ１〜ｆ８とする。
フィルタ部１１０はローパスフィルタ（ＬＰＦ）あるいはバンドパスフィルタ（ＢＰＦ）で構成されており、使用するスピーカの最低共振周波数以下の周波数ｆ２の低域信号Ｓ２を信号源（図示せず）から供給される入力信号Ｓ１（周波数ｆ１）から抽出する。
【００５３】
正弦波信号源１２０は正弦波信号Ｓ３（周波数ｆ３）を生成し、後述する第一乗算部１３０に供給する。なお、音響再生装置１００をディジタル信号処理で実現する場合には、正弦波を発生させる手法として、ＩＩＲフィルタを利用する手法、正弦波を多項式で近似して逐次計算する手法がある。更に簡単な手法としては、予め計算された正弦波の値をメモリ内に格納しておいて読み出す手法があり、演算時間の短縮や遅いＤＳＰを使用できるという利点もある。
【００５４】
なお、以上の構成において、正弦波信号Ｓ３の周波数ｆ３は、フィルタ部１１０を通過する上限周波数ｆ２maxあるいは遮断周波数ｆLPFの２倍以上１２倍以下であって、かつ、スピーカ１９０で再生可能な周波数帯域に設定されている、ことが望ましい。ｆ３をこの範囲に選択することで、スピーカの最低共振周波数以下の音響情報を聴感上自然な状態で再生可能になる。
【００５５】
第一乗算部１３０は、周波数ｆ３の正弦波信号Ｓ３と、フィルタ部１１０から出力される周波数ｆ２の低域信号Ｓ２とから、周波数ｆ４＝ｆ３±ｆ２の変換信号Ｓ４を、乗算などを用いた周波数変換によって得る。なお、この第一乗算部１３０は、ディジタル信号処理で実現する場合には、乗算器を用いることができる。
【００５６】
また、第一乗算部１３０は、ディジタル処理を実行するディジタル処理部である場合には、いずれかの入力端子からの入力信号を±１の範囲内に正規化して乗算処理することにより周波数変換を行う、ことが望ましい。
【００５７】
第二乗算部１４０は、フィルタ部１１０から出力される周波数ｆ２の低域信号Ｓ２と、第一乗算部１３０の周波数変換で生成される周波数ｆ４＝ｆ３±ｆ２の変換信号Ｓ４とから、周波数ｆ３の成分と周波数ｆ３±２ｆ２の成分とを含む周波数ｆ５の変換信号Ｓ５を、乗算などを用いた周波数変換によって得る。なお、この第二乗算部１４０は、ディジタル信号処理で実現する場合には、乗算器を用いることができる。
【００５８】
また、第二乗算部１４０は、ディジタル処理を実行するディジタル処理部である場合には、いずれかの入力端子からの入力信号を±１の範囲内に正規化して乗算処理することにより周波数変換を行う、ことが望ましい。
【００５９】
フィルタ部１５０はハイパスフィルタ（ＨＰＦ）あるいは直流遮断フィルタなどで構成されており、以上の周波数変換の信号処理によって、変換信号Ｓ５中に周波数が０Ｈｚ（直流成分）となった信号が含まれる場合の直流成分を除去して変換信号Ｓ６（変換信号Ｓ５から直流成分を除去した変換信号）を生成するフィルタである。
【００６０】
ここで、フィルタ部１１０を通過する上限の周波数はｆ２max（あるいはｆLPF）であり、ｆ４＝ｆ３±ｆ２、ｆ５＝（ｆ３、ｆ３±２ｆ２）であるため、周波数変換後における最も低い周波数ｆ５minは、ｆ５min＝ｆ３−２ｆ２maxである。
【００６１】
ここで、周波数ｆ３は、フィルタ部１１０を通過する上限周波数ｆ２maxあるいは遮断周波数ｆLPFの２倍である場合には、ｆ５min＝０となり、直流成分が発生してしまうので、上述したフィルタ部１５０が必要になる。
【００６２】
このように、ｆ３＝２ｆ２max、すなわち、ｆ３＝２ｆ２LPFの場合には、ハイパスフィルタで構成されたフィルタ部１５０の遮断周波数ｆHPFは、
ｆHPF≦ｆLPF、
と設定して直流成分を除去することが望ましい。
【００６３】
また、音響再生装置の回路全体で直流成分あるいは超低域信号が出力されない構成になっている場合、あるいは、以上の周波数ｆ３をｆ２maxあるいはｆLPFの２倍より大きく設定して直流成分が発生しない場合には、フィルタ部１５０を省略することも可能である。
【００６４】
加算部１８０は変換信号Ｓ４と変換信号Ｓ６（フィルタ部１５０を用いない場合は変換信号Ｓ５）とを加算し、周波数ｆ３の成分と周波数ｆ３±ｆ２の成分と周波数ｆ３±２ｆ２の成分とを含む疑似低域信号（Ｓ７）を生成し、この疑似低域信号（Ｓ７）と入力信号Ｓ１とを加算して疑似低域信号含有出力信号Ｓ８を生成する。
【００６５】
なお、この図１では、Ｓ１，Ｓ４，Ｓ６を加算部１８０で一度に加算する構成を示しているが、後述する図２に示すようにＳ４とＳ６とを加算して疑似低域信号Ｓ７を生成してから、この疑似低域信号Ｓ７に入力信号Ｓ１を加算して疑似低域信号含有出力信号Ｓ８を生成してもよい。
【００６６】
増幅部１８０は疑似低域信号含有出力信号Ｓ８を増幅する低周波増幅部（オーディオアンプ）である。
スピーカ１９０は増幅部１８０で増幅された疑似低域信号含有信号Ｓ８により駆動され、音響再生を行う電器音響変換素子である。なお、このスピーカ１９０は、以上のように周波数変換された疑似低域信号によって低域信号の再生を行うため、最低共振周波数以下に周波数ｆ２が存在するような特性を有する。
【００６７】
すなわち、スピーカ１９０としては、振動面積や構造の制約により、再生したい低域信号Ｓ２を最低共振周波数の関係で再生できない各種の小口径のスピーカである。
あるいは、スピーカ１９０としては、小口径のものに限定されず、振動面積やエンクロージャを含めた各種構造の制約により、再生したい重低音の低域信号Ｓ２を最低共振周波数の関係で再生できない各種のスピーカである。
【００６８】
変換信号Ｓ４と変換信号Ｓ６（フィルタ部１５０を用いない場合は変換信号Ｓ５）とを加算し、周波数ｆ３の成分と周波数ｆ３±ｆ２の成分と周波数ｆ３±２ｆ２の成分とを含む疑似低域信号を生成し、この疑似低域信号と入力信号Ｓ１とを加算して疑似低域信号含有出力信号Ｓ８を生成する。
【００６９】
なお、以上の図１の音響再生装置１００は、低域信号Ｓ２を周波数変換してスピーカ１９０で再生可能な周波数帯域の疑似低域信号を生成し、この疑似低域信号と入力信号Ｓ１とを加算して疑似低域信号含有出力信号Ｓ８でスピーカ１９０から音響再生する構成であった。
【００７０】
一方、図２の音響再生装置１００では、低域信号Ｓ２を周波数変換してスピーカ１９０で再生可能な周波数帯域の疑似低域信号７を生成し、この疑似低音信号Ｓ７のみでスピーカ１９０から音響再生する構成である。すなわち、本来であれば、再生できない低域信号Ｓ２を疑似低域信号として音響再生する、一種のサブウーハーである。
【００７１】
ここで、以上の各信号Ｓ１〜Ｓ８の周波数をｆ１〜ｆ８とした場合の周波数の関係を図示すると、図３のようになる。
ここでは、
疑似低域信号Ｓ７については、
ｆ７
＝ｆ３±（０，１，２）ｆ２
＝ｆ３−２ｆ２，ｆ２−ｆ２，ｆ３，ｆ２＋ｆ２，ｆ３＋２ｆ２
となる。
【００７２】
すなわち、以上の音響再生装置１００の信号処理により、使用するスピーカ１９０の最低共振周波数以下の周波数ｆ２の低域信号Ｓ２は、スピーカの再生可能な周波数帯域において、正弦波信号Ｓ３の周波数ｆ３を中心として周波数間隔ｆ２（±ｆ２、±２ｆ２）毎に信号成分を含む疑似低域信号Ｓ７に周波数変換される。
【００７３】
この結果、スピーカ１９０の再生可能な周波数帯域において中心周波数ｆ３・周波数間隔ｆ２で等間隔の信号が含まれる疑似低域信号Ｓ７から、聴取者にとってはミッシングファンダメンタルにより基本音ｆ２が感じられる（知覚できる）ようになる。すなわち、スピーカ１９０の最低共振周波数以下であって実際には再生されていない周波数ｆ２の信号Ｓ２が存在しているように、聴取者に知覚される。
【００７４】
このため、単純に低域部分をそのままの周波数で強調した場合のスピーカ１９０での再生時の歪みが増大する現象は発生しない。また、再生したい低域信号と再生可能な周波数帯域とが離れている場合であっても、逓倍によって低域信号の高調波を生成した場合と異なり、無理なく低域信号を再現することが可能になる。したがって、スピーカの最低共振周波数以下の音響情報を聴感上自然な状態で再生可能になる。
【００７５】
なお、以上のような疑似低域信号Ｓ７の各成分の振幅レベルを計算すると、以下の数式のようになる。
まず、変換信号Ｓ４については、以下の数式で示される。
【００７６】
【数２】
2010183126.tif 000004
【００７７】
また、変換信号Ｓ５については、以下の数式で示される。
【００７８】
【数３】
2010183126.tif 000005
【００７９】
この結果、正弦波信号Ｓ３の振幅Ｂは一定であり、低域信号Ｓ２の振幅Ａが変化するものであるため、変換信号Ｓ４（周波数ｆ４＝ｆ３±ｆ２）については、Ａ／２に比例することになる。このため、変換信号Ｓ４のレベルは、図４に示すごとく、低域信号Ｓ２の−６ｄＢとなる。
【００８０】
また、正弦波信号Ｓ３の振幅Ｂは一定であり、低域信号Ｓ２の振幅Ａが変化するものであるため、変換信号Ｓ５に含まれるｆ３±２ｆ２については、図４に示すごとく、（１／４）Ａ2に比例することになる。同様に、疑似低域信号Ｓ７に含まれる正弦波信号Ｓ３は、図４に示すごとく、（１／２）Ａ2に比例することになる。
【００８１】
このため、低域信号Ｓ２のレベル（図４横軸）が十分に大きい場合には、図５に示すごとく、疑似低域信号Ｓ７に含まれる各成分（Ｓ４（ｆ４）とＳ５（ｆ５））が近いレベルになるため、各成分の間隔がｆ２となって、周波数ｆ２の低域信号Ｓ２が存在しているように聴取者に知覚される。
【００８２】
一方、低域信号Ｓ２のレベル（図４横軸）が十分に小さい場合には、図６に示すごとく、疑似低域信号Ｓ７に含まれる各成分のうち、Ｓ４に比較してＳ５が著しく小さいレベルになるため、主な成分の間隔が２ｆ２となって、低域信号Ｓ２の２倍の高調波成分が主に存在しており、低域信号Ｓ２の基本波成分がかすかに存在しているように聴取者に知覚される。
【００８３】
なお、図５と図６との変化は、以上の数式に従い、図４のように変化するため、低域信号Ｓ２のレベルに応じて、知覚される低域の状態も徐々に変化する。この変化は、上述した等感曲線（ロビンソン・ダッドソン曲線）に近いものとなり、各周波数における知覚レベルが音圧（音量）により変化する状態になっている。
【００８４】
〈第二実施形態〉
図７は本発明の第二実施形態の音響再生装置１００の構成を模式的に示す説明図である。ここでは、第一実施形態の図１と同一物には同一番号を付すことで、重複した説明を省略する。
【００８５】
この第二実施形態では、上述した第一実施形態の音響再生装置１００をステレオ再生対応に構成した状態を示している。なお、正弦波信号Ｓ３は共通に使用することができるため、正弦波信号源１２０を共通で使用する。それ以外の回路部は左（Ｌ）と右（Ｒ）とで同様の構成を用いて２ｃｈとする。
【００８６】
この場合、低域信号Ｓ２について各チャンネルで独立して処理をして疑似低音信号Ｓ７Ｌ，Ｓ７Ｒを生成しているため、低域再生においても広がり感や音像定位を優れた状態に保つことが可能になる。
【００８７】
なお、更にチャンネル数の多いマルチチャンネルの場合であっても、同様にして正弦波信号Ｓ３を共通に使用することが可能である。
〈第三実施形態〉
図８は本発明の第三実施形態の音響再生装置１００の構成を模式的に示す説明図である。ここでは、第一実施形態の図１、第二実施形態の図７と同一物には同一番号を付すことで、重複した説明を省略する。
【００８８】
この第三実施形態では、上述した第二実施形態のステレオ対応の２ｃｈの音響再生装置１００を、サラウンド対応に構成した状態を示している。なお、正弦波信号Ｓ３は共通に使用することができるため、正弦波信号源１２０を共通で使用する。それ以外の回路部は左（Ｌ）と右（Ｒ）とで同様の構成を用いて２ｃｈとする。
【００８９】
そして、疑似低域信号含有信号Ｓ８Ｌと疑似低域信号含有信号Ｓ８Ｒとにサラウンド回路１０１によってサラウンド処理を施してから、それぞれ増幅器１８０Ｌ，１８０Ｒで増幅し、スピーカ１９０Ｌ，１９０Ｒにより音響再生を行う。
【００９０】
この場合も、低域信号Ｓ２について各チャンネルで独立して処理をして疑似低音信号Ｓ７Ｌ，Ｓ７Ｒを生成しているため、低域再生においても広がり感や音像定位を優れた状態に保つことが可能になる。
【００９１】
また、各チャンネルで独立して処理をして生成した疑似低音信号Ｓ７Ｌ，Ｓ７Ｒを用いてサラウンド処理を実行しているため、低域再生においても広がり感や音像定位を優れた状態に保ちつつサラウンド効果を発生させることが可能になる。
【００９２】
なお、更にチャンネル数の多いマルチチャンネルの場合であっても、同様にして正弦波信号Ｓ３を共通に使用すると共に、サラウンド回路１０１によってサラウンド処理を実行することが可能である。
【００９３】
〈第四実施形態〉
図９は本発明の第四実施形態の音響再生装置１００の構成を模式的に示す説明図である。ここでは、第一実施形態の図１と同一物には同一番号を付すことで、重複した説明を省略する。
【００９４】
この第四実施形態では、上述した第一実施形態より信号処理の演算量を抑えたい場合に有効であり、低域信号についてモノラル処理としている。
すなわち、左入力信号Ｓ１Ｌと右入力信号Ｓ１Ｒとを加算部１０５で合成したモノラル入力信号Ｓ１’を生成し、この入力信号Ｓ１’から低域信号Ｓ２’を生成する。そして、以上の第一実施形態と同様な処理により、疑似低域信号Ｓ７’を生成する。
【００９５】
そして、この疑似低音信号Ｓ７’を加算部１６０Ｌで左入力信号Ｓ１Ｌに加算し、増幅部１８０Ｌで増幅し、スピーカ１９０Ｌから疑似低域信号含有信号Ｓ８Ｌを再生する。
また、この疑似低音信号Ｓ７’を加算部１６０Ｒで右入力信号Ｓ１Ｒに加算し、増幅部１８０Ｒで増幅し、スピーカ１９０Ｒから疑似低域信号含有信号Ｓ８Ｒを再生する。
【００９６】
この場合は、各チャンネルで共通した疑似低音信号Ｓ７’を用いているため、処理能力の低いＤＳＰを使用でき、また、消費電力を低減できるという利点がある。
〈第五実施形態〉
図１０は本発明の第五実施形態の音響再生装置１００の構成を模式的に示す説明図である。ここでは、第四実施形態の図９と同一物には同一番号を付すことで、重複した説明を省略する。
【００９７】
この第五実施形態では、上述した第四実施形態と同様に、信号処理の演算量を抑えたい場合に有効であり、低域信号についてモノラル処理としている。さらに、この構成において、正弦波信号Ｓ３の周波数ｆ３は、フィルタ部１１０を通過する上限周波数ｆ２maxあるいは遮断周波数ｆLPFの１２倍以下であって、かつ、スピーカ１９０で再生可能な周波数帯域に設定する。
【００９８】
これにより、フィルタ部１５０を省略することが可能になり、音響再生装置１００をディジタル信号処理で実現する場合には、上述した第四実施形態よりも信号処理の演算量を抑えることができ、さらに処理能力の低いＤＳＰを使用でき、また、消費電力を低減できるという利点がある。
【００９９】
〈第六実施形態〉
図１１は本発明の第六実施形態の音響再生装置１００の構成を模式的に示す説明図である。ここでは、第一実施形態の図１と同一物には同一番号を付すことで、重複した説明を省略する。
【０１００】
以上の各実施形態では、スピーカ１９０が再生できない最低共振周波数（図１２のスピーカインピーダンス特性を参照）以下の低域信号も増幅器１８０で増幅してスピーカ１９０に印加していた。ここで、図１２に示すスピーカインピーダンス特性によれば、最低共振周波数においてインピーダンスがピークに達し、それ以下の低域ではインピーダンスがボイスコイルの直流抵抗に近くなる。この場合、実際には能率が低くて音としては出力されないような低域信号であっても、ボイスコイルのインピーダンス分で電力が消費される。
【０１０１】
そこで、図１１に示すように、入力信号Ｓ１に含まれる低域信号を、ハイパスフィルタなどで構成されたフィルタ部１０３により除去する。この場合、フィルタ部１０３の遮断周波数を、低域信号Ｓ２を抽出するフィルタ部１１０の上限遮断周波数近傍もしくは以上に設定する。これにより、スピーカ１９０が再生困難な低域信号成分を除去し、スピーカ１９０が再生可能な周波数帯域で低域信号を擬似的に再現する。
【０１０２】
この場合、ロビンソン・ダッドソン曲線の等感曲線により低域よりも中域のほうが同じ音圧で再生しても数ｄＢ〜数十ｄＢ程度は知覚されやすいため、実際の低域よりも低い音圧で低域信号を再生しても十分に知覚される。従って、擬似的に再現される低域信号を聴取者が知覚できる状態にするには、本来の低域信号よりも小レベルで再生すればよいため、増幅器１８０の消費電力を抑えることが可能になる。すなわち、聴取者に知覚できる低域の再生を行いつつ、装置やシステム全体の消費電力を抑えることが可能になる。
【０１０３】
なお、このフィルタ部１０３を用いた第六実施形態については、上述した各実施形態に対して適用することができる。
〈その他の実施形態（１）〉
以上の実施形態では、音響再生装置１００として増幅部１８０とスピーカ１９０とを備えた状態を示したが、これに限定されるものではない。
【０１０４】
すなわち、任意のスピーカを自由に接続できるように、増幅部１８０までを音響再生装置１００として構成してもよい。
また、任意の増幅部と任意のスピーカとを自由に接続できるように、加算部１６０までを音響再生装置１００として構成してもよい。
【０１０５】
〈その他の実施形態（２）〉
以上の実施形態では、音響再生装置１００として増幅部１８０とスピーカ１９０とを備えた状態を示したが、これに限定されるものではない。
【０１０６】
すなわち、増幅部１８０とスピーカ１９０との代わりに、各種の送信装置（図示せず）を接続し、小口径のスピーカを有するものの本実施形態の音響再生装置１００を有しない受信装置に対して、疑似低域信号を含む音声信号を送信する音響送信装置あるいは音響再生システムも、本発明の一実施形態である。
【０１０７】
〈その他の実施形態（３）〉
以上の実施形態では、小口径のスピーカを用いた場合であって周波数変換によって低域信号を知覚できることを説明してきたが、小口径のスピーカに限定されるものではない。
【０１０８】
たとえば、ブックシェルフ型のスピーカ装置において、２０Ｈｚ程度の重低音を再生したい場合に、２０Ｈｚ間隔の疑似低域信号Ｓ７を用いることで、聴取者にとってはミッシングファンダメンタルにより２０Ｈｚ程度の重低音が基本音として感じられる（知覚できる）ようになる。
【０１０９】
すなわち、この場合も、スピーカ１９０の最低共振周波数以下であって実際には再生されていない周波数ｆ２の信号Ｓ２が存在しているように、聴取者に知覚される。
また、カーオーディオのようにタイヤからのロードノイズによって低域信号が聴取者に知覚されにくい場合であっても、周波数変換された疑似低域信号Ｓ７を用いることで、聴取者に知覚されやすい低域再生が可能になる。
【０１１０】
また、聴取する場所の周囲の騒音などによって本来の低域信号が聴取者に知覚されにくい場合には、騒音の周波数と離れた周波数に周波数変換された疑似低域信号Ｓ７を用いることで、聴取者に知覚されやすい低域再生が可能になる。この場合には、周囲騒音を計測して、変換する周波数を自動的に決定する制御部を備えるようにして構成してもよい。
【符号の説明】
【０１１１】
１００  音響再生装置
１１０  フィルタ部
１２０  正弦波信号源
１３０  第一乗算部
１４０  第二乗算部
１５０  フィルタ部
１６０  加算部
１８０  増幅部
１９０  スピーカ
【図１】
2010183126.tif 000006
【図２】
2010183126.tif 000007
【図３】
2010183126.tif 000008
【図４】
2010183126.tif 000009
【図５】
2010183126.tif 000010
【図６】
2010183126.tif 000011
【図７】
2010183126.tif 000012
【図８】
2010183126.tif 000013
【図９】
2010183126.tif 000014
【図１０】
2010183126.tif 000015
【図１１】
2010183126.tif 000016
【図１２】
2010183126.tif 000017
【図１３】
2010183126.tif 000018
【図１４】
2010183126.tif 000019